(57)【特許請求の範囲】
【請求項１】
筐体の鉄板シャーシ内に配設された基板に１重絶縁線部の先端が接続固着されたＡＣコードの前記１重絶縁線部が前記鉄板シャーシの縦壁部に当たらないように保持処理したＡＣコードの保持構造であって、前記基板上における前記ＡＣコードの1重絶縁線部の先端固着部分の近傍箇所に、側壁面に係止孔を有する筒状保持具を立設し、この筒状保持具内に挿入されて上下複数設けられた係爪の適宜高さ位置の係爪が前記係止孔に係入されて高さ位置調整可能な絶縁材からなる線保持具の先端に前記ＡＣコードの1重絶縁線部を保持するように構成され、この線保持具の上端部が開閉可能に形成されて前記１重絶縁線部を包み込むことによって1重絶縁線部を保持し、且つ前記鉄板シャーシの上端部には、前記ＡＣコードにおける２本の１重絶縁線部から連なる２重絶縁線部を固定するためのブッシュが取り付けられるように構成されていることを特徴とするＡＣコードの保持構造。
【請求項２】
筐体の鉄板シャーシ内に配設された基板に１重絶縁線部の先端が接続固着されたＡＣコードの前記１重絶縁線部が前記鉄板シャーシの縦壁部に当たらないように保持処理したＡＣコードの保持構造であって、前記基板上における前記ＡＣコードの1重絶縁線部の先端固着部分の近傍箇所に、側壁面に係止孔を有する筒状保持具を立設し、この筒状保持具内に挿入されて上下複数設けられた係爪の適宜高さ位置の係爪が前記係止孔に係入されて高さ位置調整可能な絶縁材からなる線保持具の先端に前記ＡＣコードの1重絶縁線部を保持するように構成されていることを特徴とするＡＣコードの保持構造。
【請求項３】
前記線保持具の上端部が開閉可能に形成されて前記１重絶縁線部を包み込むことによって1重絶縁線部を保持するように構成されたことを特徴とする請求項２に記載のＡＣコードの保持構造。
【請求項４】
前記鉄板シャーシの上端部には、前記ＡＣコードにおける２本の１重絶縁線部から連なる２重絶縁線部を固定するためのブッシュが取り付けられるように構成されていることを特徴とする請求項２に記載のＡＣコードの保持構造。
【請求項５】
筐体の鉄板シャーシ内に配設された基板に１重絶縁線部の先端が接続固着されたＡＣコードの前記１重絶縁線部が前記鉄板シャーシの縦壁部に当たらないように保持処理したＡＣコードの保持構造であって、前記基板における前記ＡＣコードの1重絶縁線部の先端固着部分の近傍箇所に係入孔が穿設されていて、縦方向に切り取り可能な複数のスリットが形成され、これら複数のスリットの各上側近傍箇所に前記基板の係入孔に係入係止される係止爪が設けられ、上端部に前記1重絶縁線部を包み込んで保持する保持部を有する絶縁材からなる縦向き保持具を、前記適宜箇所のスリットから切断して高さ調整し、前記基板の係入孔に係入して前記係止爪で係止固定するように構成されたことを特徴とするＡＣコードの保持構造。
【請求項６】
前記鉄板シャーシの上端部には、前記ＡＣコードにおける２本の１重絶縁線部から連なる２重絶縁線部を固定するためのブッシュが取り付けられるように構成されていることを特徴とする請求項５に記載のＡＣコードの保持構造。
【発明の詳細な説明】
【０００１】
【発明の属する技術分野】
本発明は、筐体の鉄板シャーシ内に配設された基板に１重絶縁線部の先端が接続固着されたＡＣコードの１重絶縁線部が鉄板シャーシの縦壁部に当たらないように保持処理したＡＣコードの保持構造に関する。
【０００２】
【従来の技術】
従来、この種のＡＣコードの保持構造として、例えば、基板におけるＡＣコードの先端の１重絶縁線部の２極が取り付けられた箇所のパターンの間に穴を穿設して、この穴にワイヤー体を通して取り付けてから、このワイヤー体でＡＣコードの１重絶縁線部を固定して、この基板が配置された筐体の鉄板シャーシに１重絶縁線部が当たらないようにしていた。
ところが、このようにすると、ワイヤー体を取り付ける作業が面倒であり、しかも1重絶縁線部を保持する部分の高さ調節ができないという問題があった。
【０００３】
また、実開昭５７−７１３８６号公報には、回路基板用固定具が記載されている。
これは、図６（ａ）（ｂ）、図７（ａ）（ｂ）、図８（ａ）（ｂ）に示すように、上端の固定部１０４と、これに相対抗して設けられる下部基台１０５とこれら相互間をつなぐ少なくとも１つの支柱１０６と、下部基台１０５の下方に設けられる弓形の弾性プレート状押え片１０７と、その中央から下方に向う連結板１０９と、左右端部が弾性プレート状押え片１０７の裏面に対抗して設けられる連結板１０９につながるやじり型の弾性結合片１１１とからなり、更に支柱１０６には倒れ防止用リブ１１２、１１３、１２３、１２４が設けられ、これが夫々合成樹脂で一体成形されているものである。
ところが、これにおいては、高さの調整ができずに、一定の高さ位置に固定されてしまうという問題があった。
【０００４】
また、特開平５−１５２７７１号公報には、コード保持装置が記載されている。  これは、図９（ａ）（ｂ）（ｃ）（ｄ）、図１０（ａ）（ｂ）（ｃ）（ｄ）に示すように、コードをクランプするクランプ部２１２と、フレーム２０４に穿設される取付穴２２６に臨む略円盤状の抜け止め部２１３と、取付面２０４ａに対して垂直方向に弾性変位可能な弾性腕２１４とを有してなるコードクランパ２１１が、フレーム２０４の取付面２０４ａとは反対側の面２０４ｂに形成される段差部２２９に抜け止め部２１３に設けられるロック爪２２８が係合し、弾性腕２１４の弾発力によってフレーム２０４に固定されるものである。
ところが、これにおいても高さの調整ができずに、一定の高さ位置に固定されてしまうという問題があった。
【０００５】
【発明が解決しようとする課題】
本発明は、上記従来の問題を解消し、ＡＣコードの１重絶縁線部が筐体の鉄板シャーシに直接当たらないようにすることができ、しかも、１重絶縁線部を保持する部分の高さの調整を行うことができて、ＡＣコードが弛んで鉄板シャーシに当たらないようにＡＣコードに張りをもたせることができるＡＣコードの保持構造を提供することを目的としている。
【０００６】
【課題を解決するための手段】
本発明は、上記課題を解決するために提案されたものであって、請求項１に記載の発明は、筐体の鉄板シャーシ内に配設された基板に１重絶縁線部の先端が接続固着されたＡＣコードの前記１重絶縁線部が前記鉄板シャーシの縦壁部に当たらないように保持処理したＡＣコードの保持構造であって、前記基板上における前記ＡＣコードの1重絶縁線部の先端固着部分の近傍箇所に、側壁面に係止孔を有する筒状保持具を立設し、この筒状保持具内に挿入されて上下複数設けられた係爪の適宜高さ位置の係爪が前記係止孔に係入されて高さ位置調整可能な絶縁材からなる線保持具の先端に前記ＡＣコードの1重絶縁線部を保持するように構成され、この線保持具の上端部が開閉可能に形成されて前記１重絶縁線部を包み込むことによって1重絶縁線部を保持し、且つ前記鉄板シャーシの上端部には、前記ＡＣコードにおける２本の１重絶縁線部から連なる２重絶縁線部を固定するためのブッシュが取り付けられるように構成されていることを特徴としている。
【０００７】
請求項２に記載の発明は、筐体の鉄板シャーシ内に配設された基板に１重絶縁線部の先端が接続固着されたＡＣコードの前記１重絶縁線部が前記鉄板シャーシの縦壁部に当たらないように保持処理したＡＣコードの保持構造であって、前記基板上における前記ＡＣコードの1重絶縁線部の先端固着部分の近傍箇所に、側壁面に係止孔を有する筒状保持具を立設し、この筒状保持具内に挿入されて上下複数設けられた係爪の適宜高さ位置の係爪が前記係止孔に係入されて高さ位置調整可能な絶縁材からなる線保持具の先端に前記ＡＣコードの1重絶縁線部を保持するように構成されていることを特徴としている。
請求項３に記載の発明は、前記線保持具の上端部が開閉可能に形成されて前記１重絶縁線部を包み込むことによって1重絶縁線部を保持するように構成されたことを特徴としている。
請求項４に記載の発明は、前記鉄板シャーシの上端部には、前記ＡＣコードにおける２本の１重絶縁線部から連なる２重絶縁線部を固定するためのブッシュが取り付けられるように構成されていることを特徴としている。
【０００８】
請求項５に記載の発明は、筐体の鉄板シャーシ内に配設された基板に１重絶縁線部の先端が接続固着されたＡＣコードの前記１重絶縁線部が前記鉄板シャーシの縦壁部に当たらないように保持処理したＡＣコードの保持構造であって、前記基板における前記ＡＣコードの1重絶縁線部の先端固着部分の近傍箇所に係入孔が穿設されていて、縦方向に切り取り可能な複数のスリットが形成され、これら複数のスリットの各上側近傍箇所に前記基板の係入孔に係入係止される係止爪が設けられ、上端部に前記1重絶縁線部を包み込んで保持する保持部を有する絶縁材からなる縦向き保持具を、前記適宜箇所のスリットから切断して高さ調整し、前記基板の係入孔に係入して前記係止爪で係止固定するように構成されたことを特徴としている。
請求項６に記載の発明は、前記鉄板シャーシの上端部には、前記ＡＣコードにおける２本の１重絶縁線部から連なる２重絶縁線部を固定するためのブッシュが取り付けられるように構成されていることを特徴としている。
【０００９】
【発明の実施の形態】
以下、本発明に係るＡＣコードの保持構造の実施の形態について、図を参照しつつ説明する。
図１は本発明の第１実施形態のＡＣコードの保持構造を示す組み付け前の状態の分解斜視図、図２は第１実施形態のＡＣコードの保持構造の組み付け完了した状態を示す斜視図、図３は第１実施形態のＡＣコードの保持構造の組み付け完了状態の要部の縦断面図である。
【００１０】
この第１実施形態のＡＣコードの保持構造は、図１に示すように、筐体１の底板１ａの上面に複数のリブ１ｂが突設されていて、これらのリブ１ｂの上端に基板２が載せられて複数のビス３で複数のリブ１ｂに取り付け固定されている。
基板２には、ＡＣコード４の２極の1重絶縁線部４ａ、４ａの先端がハンダ付けで取り付けられていて、その近傍箇所に横長の係入孔２ｃが穿設されている。この係入孔２ｃには、下端の両側に係止爪部５ａ、５ａが設けられた角筒状の筒状保持具５が係入係止されるようになっていて、この筒状保持具５の両側壁の上端近傍箇所に係入穴５ｂ、５ｂが穿設されている。
【００１１】
更に、下側が板状で両縁に上下方向複数の上向き係止爪６ａが所定間隔毎に外向きに突設され上端に開閉可能な線包持部６ｂが設けられた線保持具６が筒状保持具５に挿入されて、図３に示す筒状保持具５の係入穴５ｂ、５ｂに適宜高さ位置の上向き係止爪６ａ、６ａが係入係止されることによって、高さ調整されるようになっている。尚、線包持部６ｂには、上下の平板状部の一方側に一対の係入爪６ｃが突設されていて、中央の線包込部６ｄに２本の１重絶縁線部４ａ、４ａを入れて包み込んだ状態で一方側の平板状部を折り畳み、他方側に穿設された係入小孔６ｄに一方側の係入爪６ｃを係入して閉めた状態で固定するようになっている。
また、筐体１の鉄板シャーシ１ｃの上端部には、ＡＣコード４における２本の１重絶縁線部４ａ、４ａから連なる２重絶縁線部４ｂを固定するためのブッシュ７が取り付けられるようになっている。
【００１２】
そして、図２に示すように、基板２の係入孔２ｃに筒状保持具５の下端を挿入してその両側の係止爪部５ａ、５ａが基板２の下面に係止されて、筒状保持具５が基板２上に立設される。
この状態で、上端の線包込部６ｄにＡＣコード４の２本の１重絶縁線部４ａ、４ａを包み込んだ状態で、線包持部６ｂを閉めた状態で固定して、線保持具６の下側を筒状保持具５に挿入して所望の高さになるように高さ調整して上向き係止爪６ａを筒状保持具５の係入穴５ｂに係入係止して取り付け固定させる。
【００１３】
従って、この第１実施形態のＡＣコードの保持構造によれば、ＡＣコード４の１重絶縁線部４ａが筐体１の鉄板シャーシ１ｃに直接当たらないようにすることができ、しかも、１重絶縁線部４ａを保持する部分の高さの調整を行うことができて、ＡＣコード４が弛んで鉄板シャーシ１ｃに当たらないようにＡＣコード４ａに張りをもたせることができる。
しかも、ＡＣコード４の２重絶縁線部４ｂがブッシュ７によって筐体１の鉄板シャーシ１ｃの上端部に取り付けられているので、ＡＣコード４が弛むことがなく、また、外力で２重絶縁線部４ｂが外向きに引っ張られるようなことがあっても外れることがなくて、安定した保持状態を保つことができる。
【００１４】
図４は第２実施形態のＡＣコードの保持構造の要部を示す部分断面図である。この第２実施形態のＡＣコードの保持構造では、線保持具６の下側の両縁に上下方向に所定間隔で複数の下向き係止爪６ｅを突設している。
そして、線保持具６の下側を筒状保持具５に挿入して、所望の高さ位置で下向き係止爪６ｅを筒状保持具５の係入穴５ｂに係入係止して取り付け固定させる。これによれば、下向き係止爪６ｅの傾斜縁が下広がり状になっているので、線保持具６の下側を筒状保持具５内に挿入し過ぎたときに、容易に上向きに引き出すことができて、高さ調整を行い易い利点がある。
【００１５】
図５は第３実施形態のＡＣコードの保持構造を示し、（ａ）はその要部の部分斜視図、（ｂ）はその縦向き保持具の部分側面図である。
この第３実施形態のＡＣコードの保持構造は、図５（ａ）（ｂ）に示すように、基板２におけるＡＣコード４の１重絶縁線部４ａの先端固着部分の近傍箇所に係入孔２ｃが穿設されていて、縦方向に切り取り可能な複雑の側面視く字形のスリット８ａが形成され、これら複数のスリット８ａの各上側近傍箇所に基板２の係入孔２ｃに係入係止される係止爪８ｂが設けられ、上端部に１重絶縁線４ａを包み込んで保持する保持部（図示略）を有する絶縁材からなる縦向き保持具８を有するものである。
【００１６】
そして、適宜箇所のスリット８ａから切断して高さ調整し、基板２の係入孔２ｃに係入して係止爪８ｂで係止して立設状態で固定するようにしている。
この第２実施形態のＡＣコードの保持構造によれば、ＡＣコード４の１重絶縁線部４ａを保持するための部材として保持具８だけでよくて、部品点数を削減することができ、しかも形状が簡単で且つスリット８ａを切断するだけで高さ調整を行うことができるので、取り付け作業を簡単化することができ、コストダウンを図ることができる。
勿論、ＡＣコード４の１重絶縁線部４ａが筐体１の鉄板シャーシ１ｃに直接当たらないようにすることができ、１重絶縁線部４ａを保持する部分の高さの調整を行うことができて、ＡＣコード４が弛んで鉄板シャーシ１ｃに当たらないようにＡＣコード４に張りをもたせることができる。
【００１７】
【発明の効果】
以上説明したように、請求項１に記載の発明は、筐体の鉄板シャーシ内に配設された基板に１重絶縁線部の先端が接続固着されたＡＣコードの１重絶縁線部が鉄板シャーシの縦壁部に当たらないように保持処理したＡＣコードの保持構造であって、基板上におけるＡＣコードの1重絶縁線部の先端固着部分の近傍箇所に、側壁面に係止孔を有する筒状保持具を立設し、この筒状保持具内に挿入されて上下複数設けられた係爪の適宜高さ位置の係爪が係止孔に係入されて高さ位置調整可能な絶縁材からなる線保持具の先端にＡＣコードの1重絶縁線部を保持するように構成され、この線保持具の上端部が開閉可能に形成されて１重絶縁線部を包み込むことによって1重絶縁線部を保持し、且つ鉄板シャーシの上端部には、ＡＣコードにおける２本の１重絶縁線部から連なる２重絶縁線部を固定するためのブッシュが取り付けられるように構成されているものであるから、以下に述べる効果を奏する。
【００１８】
即ち、ＡＣコードの１重絶縁線部が筐体の鉄板シャーシに直接当たらないようにすることができ、しかも、１重絶縁線部を保持する部分の高さの調整を行うことができて、ＡＣコードが弛んで鉄板シャーシに当たらないようにＡＣコードに張りをもたせることができる。
しかも、ＡＣコードの２重絶縁線部がブッシュによって筐体の鉄板シャーシの上端部に取り付けられているので、ＡＣコードが弛むことがなく、また、外力で２重絶縁線部が外向きに引っ張られるようなことがあっても外れることがなくて、安定した保持状態を保つことができる。
【００１９】
請求項２に記載の発明は、筐体の鉄板シャーシ内に配設された基板に１重絶縁線部の先端が接続固着されたＡＣコードの１重絶縁線部が鉄板シャーシの縦壁部に当たらないように保持処理したＡＣコードの保持構造であって、基板上におけるＡＣコードの1重絶縁線部の先端固着部分の近傍箇所に、側壁面に係止孔を有する筒状保持具を立設し、この筒状保持具内に挿入されて上下複数設けられた係爪の適宜高さ位置の係爪が係止孔に係入されて高さ位置調整可能な絶縁材からなる線保持具の先端にＡＣコードの1重絶縁線部を保持するように構成されているものであるから、以下に述べる効果を奏する。
即ち、ＡＣコードの１重絶縁線部が筐体の鉄板シャーシに直接当たらないようにすることができ、しかも、１重絶縁線部を保持する部分の高さの調整を行うことができて、ＡＣコードが弛んで鉄板シャーシに当たらないようにＡＣコードに張りをもたせることができる。
【００２０】
請求項３に記載の発明は、線保持具の上端部が開閉可能に形成されて１重絶縁線部を包み込むことによって1重絶縁線部を保持するように構成されているので、構造が簡単で、且つ1重絶縁線部を包み込む込んで確実に保持することができる。
請求項４に記載の発明は、鉄板シャーシの上端部には、ＡＣコードにおける２本の１重絶縁線部から連なる２重絶縁線部を固定するためのブッシュが取り付けられるように構成されているので、ＡＣコードが弛むことがなく、また、外力で２重絶縁線部が外向きに引っ張られるようなことがあっても外れることがなくて、安定した保持状態を保つことができる。
【００２１】
請求項５に記載の発明は、筐体の鉄板シャーシ内に配設された基板に１重絶縁線部の先端が接続固着されたＡＣコードの１重絶縁線部が鉄板シャーシの縦壁部に当たらないように保持処理したＡＣコードの保持構造であって、基板におけるＡＣコードの1重絶縁線部の先端固着部分の近傍箇所に係入孔が穿設されていて、縦方向に切り取り可能な複数のスリットが形成され、これら複数のスリットの各上側近傍箇所に基板の係入孔に係入係止される係止爪が設けられ、上端部に1重絶縁線部を包み込んで保持する保持部を有する絶縁材からなる縦向き保持具を、適宜箇所のスリットから切断して高さ調整し、基板の係入孔に係入して係止爪で係止固定するように構成されたものであるから、以下に述べる効果を奏する。
【００２２】
即ち、ＡＣコードの１重絶縁線部が筐体の鉄板シャーシに直接当たらないようにすることができ、しかも、１重絶縁線部を保持する部分の高さの調整を行うことができて、ＡＣコードが弛んで鉄板シャーシに当たらないようにＡＣコードに張りをもたせることができる。
更に、ＡＣコードの１重絶縁線部を保持するための部材として保持具だけでよくて、部品点数を削減することができ、しかも形状が簡単で且つスリットを切断するだけで高さ調整を行うことができるので、取り付け作業を簡単化することができ、コストダウンを図ることができる。
【００２３】
請求項６に記載の発明は、鉄板シャーシの上端部には、ＡＣコードにおける２本の１重絶縁線部から連なる２重絶縁線部を固定するためのブッシュが取り付けられるように構成されているので、ＡＣコードが弛むことがなく、また、外力で２重絶縁線部が外向きに引っ張られるようなことがあっても外れることがなくて、安定した保持状態を保つことができる。
【図面の簡単な説明】
【図１】本発明の第１実施形態のＡＣコードの保持構造を示す組み付け前の状態の分解斜視図である。
【図２】第１実施形態のＡＣコードの保持構造の組み付け完了した状態を示す斜視図である。
【図３】第１実施形態のＡＣコードの保持構造の組み付け完了状態の要部の縦断面図である。
【図４】第２実施形態のＡＣコードの保持構造の要部を示す部分断面図である。
【図５】第３実施形態のＡＣコードの保持構造を示し、（ａ）はその要部の部分斜視図、（ｂ）はその縦向き保持具の部分側面図である。
【図６】従来の回路基板固定具を示し、（ａ）はその正面図、（ｂ）はその側面図である。
【図７】同固定具を示し、（ａ）はその底面図、（ｂ）はその平面図である。
【図８】同固定具の使用状態を示し、（ａ）はその側面図、（ｂ）はその正面図である。
【図９】従来のコード保持装置を示し、（ａ）はそのコードクランパの正面図、（ｂ）はそのコードクランパの側面図、（ｃ）はそのコードクランパの底面図、（ｄ）はその、コードクランパの抜け止め部を拡大して示す部分拡大図側面図である。
【図１０】（ａ）は同コード保持装置を車載用テレビジョン受像機に適用した例を示す斜視図、（ｂ）はそのコードクランパをフレームに取り付ける状態を示す斜視図、（ｃ）はそのコードクランパをフレームにスライドさせる状態を一部破断して示す側面図、（ｄ）はそのコードクランパをフレームに取り付けた状態を一部破断して示す側面図である。
【符号の説明】
１        筐体
１ｃ      鉄板シャーシ
２        基板
２ｃ      係入孔
４        ＡＣコード
４ａ      1重絶縁線部
４ｂ      ２重絶縁線部
５        筒状保持具
５ａ      係止爪部
５ｂ      係止穴
６        線保持具
６ａ      上向き係止爪
６ｂ      線包持部
７        ブッシュ
８        縦向き保持具
８ａ      スリット
８ｂ      係止爪
【図１】
0003700929.tif 000002
【図２】
0003700929.tif 000003
【図３】
0003700929.tif 000004
【図４】
0003700929.tif 000005
【図５】
0003700929.tif 000006
【図６】
0003700929.tif 000007
【図７】
0003700929.tif 000008
【図８】
0003700929.tif 000009
【図９】
0003700929.tif 000010
【図１０】
0003700929.tif 000011